(57)【要約】【課題】この従来の乾燥方法の場合は、加熱室に冷たい外気を直接取り入れるため温度が下がり、湿度ムラが生じる。また、天候によっても吸入する空気の温湿度が変化して温湿度ムラが生じる。この温湿度にムラがあると、弊害が発生する。例えば、生海苔の一部が乾かないことの弊害、ヌレの発生、全体にツヤがなく曇ったように見えるクモリの発生がある。また急激に乾燥することの弊害、不均一な縮みが基で発生する皺によるチチ゛ミ海苔等による品質低下と、又は乾海苔の価値低下、等の問題が発生する。【構成】本発明は、外気吸込み口と内気排出口を備えた建屋に、補助ヒータ、タ゛クト、加熱室及び乾燥室を配し、補助ヒータ及びタ゛クトによる加熱室への温風供給と、加熱室の熱風を、乾燥室に供給して、生海苔の乾燥を図り、乾燥室の暖気を、加熱室に供給し、また外部に排気する構成であり、補助ヒータに設けたタ゛クトの多数個の吹出し口から、加熱室に温風を供給する海苔乾燥方法である。補助ヒータとタ゛クトを介して温風を、加熱室に適量、又は必要とする量を個別に供給できる。また均一化された熱風を供給できる。【選択図】　　図１
2004016082.tif 000002
【特許請求の範囲】
【請求項１】
少なくとも第１及び第２の外気吸込み口と、補助ヒータ及びタ゛クトと、加熱室と、乾燥室とを利用して生海苔を乾燥する海苔乾燥方法において、
前記第２の外気吸込み口からの外気及び／又は海苔乾燥建屋の内気を、補助ヒータに供給して温風を生成し、
この温風を、前記加熱室の吸込み口近傍に配したタ゛クトの多数個の吹出し口を介して、当該加熱室に個別に（スホ゜ット方式で）供給し、
この加熱室で生成した熱風を、前記乾燥室に供給し、
生海苔の乾燥を図り、
前記乾燥室からの暖気を、加熱室に一部供給して再利用し、また内気排出口を介して外部に排気した構成の補助ヒータ及びタ゛クトを備えた建屋による海苔乾燥方法。
【請求項２】
請求項１に記載した補助ヒータを、建屋とは区画された補助ヒータ室に設け、この補助ヒータ室に、建屋内の空気流通帯域の暖気、又は第２の外気吸込み口の外気とを供給する構成とした補助ヒータ及びタ゛クトを備えた建屋による海苔乾燥方法。
【請求項３】
請求項１に記載した補助ヒータに、部屋を設け、この部屋に、建屋内の空気流通帯域の暖気、又は第２の外気吸込み口の外気とを供給する構成とした補助ヒータ及びタ゛クトを備えた建屋による海苔乾燥方法。
【請求項４】
請求項１に記載した第１の外気吸込み口の外気（空気）の吸込み量（導入量）に対して、第２の外気吸込み口の外気（空気）の吸込み量を、少なくする構成とした補助ヒータ及びタ゛クトを備えた建屋による海苔乾燥方法。
【請求項５】
請求項１に記載したタ゛クトの多数個の吹出し口を、上記加熱室の吸込み口上方近傍に配した構成とした補助ヒータ及びタ゛クトを備えた建屋による海苔乾燥方法。
【請求項６】
第１の外気吸込み口及び／又は第２の外気吸込み口と内気排出口を備えた建屋に、補助ヒータ及びタ゛クト、加熱室、又は乾燥室を配した海苔乾燥装置において、
この補助ヒータに設けたタ゛クトを、前記加熱室の吸込み口上方近傍に配備し、　このタ゛クトに設けた多数個の吹出し口から温度及び／又は湿度センサーを介して必要とする箇所に最適な量又は必要な時に、当該加熱室に温風を供給する構成とした補助ヒータ及びタ゛クトを備えた建屋による海苔乾燥装置。
【発明の詳細な説明】
【０００１】
【発明の属する技術分野】
この発明は、補助ヒータ及びタ゛クトを備えた建屋による海苔乾燥方法と、その海苔乾燥装置に関する。
【０００２】
【従来の技術・発明が解決しようとする課題】
現在の海苔の乾燥は、建屋に設置された全自動海苔乾燥機、この種の海苔乾燥機（乾燥機とする）と呼ばれている、全長１０ｍ程度の乾燥機で行なわれる。その一例を、図７を使って、簡単に説明すると、建屋に設置した加熱室は、建屋の外の空気（外気）と建屋の中の空気（内気）を、当該加熱室の上に設置する吸込み用のファンを介して吸込んだ後、熱交換を介して熱風を生成し、この熱風を乾燥室に送り生海苔（抄き海苔）を乾燥する。この乾燥室から排出される湿り空気（空気流通帯域の暖気であり、暖気とする）を、建屋に設けた内気排出口より、建屋外に排気する構造である。またこの暖気の一部は、前述の乾燥時に、適度な温度と湿度が必要なので、外気と一緒に再度、吸込み用のファンを介して吸込まれて乾燥室の中へ入り、前述と同じ途を辿る。即ち、乾燥室の生海苔は、この空気の流れと、加熱室の温湿度制御とを繰返して、当該乾燥室の中を２時間程度かけて数往復する間に乾燥されることから、乾燥室内を流れる空気の温度や湿度が、生海苔の乾燥に大きな影響を与える。また雨、風、雪等の天候によっても、建屋の内気は大きく変動することから、乾燥室内の温湿度に直接悪影響を与えるので、生海苔の乾燥に弊害となる。例えば、次のようなことが考えられる。即ち、温湿度にムラがあると海苔の一部が乾かないことの弊害、所謂、ヌレの発生、全体にツヤがなく曇ったように見えるクモリの発生、又は急激に乾燥することの弊害、所謂、不均一な縮みが基で発生する皺によるチチ゛ミ海苔等による品質低下と、この弊害による海苔の価値の低下、等の問題が発生する。またこの温湿度がムラとなる他の原因としては、建屋の隙間風や、屋根や壁の形状の違いで空気の流れが異なることから、生産者は、簡易的に、乾燥室周辺に仕切り板を設けたりして温度を調整している。尚、本出願人もこれに関する提案を多数出願している。例えば、特開平２−６０５７０等が挙げられる。しかし、十分でないのが現況である。
【０００３】
この問題解決の一環として、幾つかの手段が採用される傾向にあり、本出願人も種々の実験を行ってきたので、その一例を説明する。（１）は（図示せず）、乾燥室に、温湿度センサーを、複数箇所に設け（例えば、乾燥室の前後に略２分割するようにして、それぞれ設置し）、その測定値に基づいて、建屋の換気等を行ない、乾燥室内の湿度を均一に保持する手段がある。しかし、この手段は、測定個所が２個所なので乾燥室内の湿度を、均一に保つのが難しく、また換気の際に、冷たい外気の流入により温湿度の均一性が乱れて、その変化が大きくなることから種々の問題を残している。（２）は、この（１）の改良案として、本出願人が実験を繰返して行った手段であり、それなりの成果が得られたので、その概要を、図８に示す。即ち、建屋に、配置した補助ヒータと、既設の加熱室とを併用する手段（併用手段とする）が採用される傾向にある。この併用手段は、補助ヒータに、一次空気（外気）を、建屋の外気吸込み口から必要とする外気の全量を導入する（吸込む）とともに、空気流通帯域を流れる（乾燥室から排気された空気）湿った暖気の一部を、補助ヒータの内気吸込み口から導入し（取入れ）、熱交換を介して温風に変換する。この温風を、建屋の床面に配したタ゛クトを介して加熱室の全体に供給して、加熱室での熱交換を介して熱風に変換された後、当該加熱室に設けた熱風路を経由して乾燥室に供給する手段である。しかし、この併用手段では、次のように弊害が挙げられる。：▲１▼タ゛クトに設けた多数個の吹出し口と、加熱室の吸込み口とが離れており、補助ヒータからの温風が拡散され易いこと、　またこの温風の拡散及び／又はタ゛クトの配置、大きさ等により、加熱室の吸込み口に確実、又は適量供給できる保証はない。：▲２▼補助ヒータへの大量の外気の導入は、時として建屋内の気流の変化を招来し、ハ゛ランスを崩す。：▲３▼温度ムラのある熱風が乾燥室に供給される結果、品質の低下要因となり、例えば、乾海苔にヌレ、ワレ、艶ムラ、チチ゛ミ等が発生する。：▲４▼補助ヒータに外気を全量（換気量と同量）に導入するので、大きな能力と熱源を要する問題がある。：▲５▼装置の大型化を招来すること、また大型化に伴って設置ができない状況もあること、又は現場のスヘ゜ースが確保されず、設置作業に難渋すること、又設置コストがかかること、等の課題がある。
【０００４】
【課題を解決するための手段】
請求項１の発明は、（イ）　補助ヒータから温風を、加熱室に個別（スホ゜ット式）、又は均一に供給して、この加熱室において熱風を生成し、この熱風を、乾燥室に供給して、乾燥室の温度及び／又は湿度を略均一にして、効率的な熱風の生成を図ること、また高品質の乾海苔を製造すること、等を意図する。（ロ）また補助ヒータに外気の一部を導入して温風を生成し、建屋内の急激な温度低下、又は建屋内の気流のハ゛ランス崩れ、また乾燥室への温度及び／又は湿度ムラのある熱風供給回避等を図ること、また乾海苔のヌレ、ワレ、艶ムラ、チチ゛ミ等を回避して、高品質の乾海苔の生成を図ること、等を意図する。（ハ）さらに補助ヒータに外気の一部を導入する構成として、装置の小型化、又は建屋への設置の確保と、設置の容易化、設置コストの低廉化等を図ることを意図する。
【０００５】
請求項１は、少なくとも第１及び第２の外気吸込み口と、補助ヒータ及びタ゛クトと、加熱室と、乾燥室とを利用して生海苔を乾燥する海苔乾燥方法において、
第２の外気吸込み口からの外気及び／又は海苔乾燥建屋の内気を、補助ヒータに供給して温風を生成し、
温風を、加熱室の吸込み口近傍に配したタ゛クトの多数個の吹出し口を介して、加熱室に個別に（スホ゜ット方式で）供給し、
この加熱室で生成した熱風を、前記乾燥室に供給し、
生海苔の乾燥を図り、
乾燥室からの暖気を、加熱室に一部供給して再利用し、また内気排出口を介して外部に排気した構成の補助ヒータ及びタ゛クトを備えた建屋による海苔乾燥方法である。
【０００６】
請求項２の発明は、請求項１の目的を達成できる補助ヒータ室を使用した海苔乾燥方法を提案する。
【０００７】
請求項２は、請求項１に記載した補助ヒータを、建屋とは区画された補助ヒータ室に設け、補助ヒータ室に、建屋内の空気流通帯域の暖気、又は第２の外気吸込み口の外気とを供給する構成とした補助ヒータ及びタ゛クトを備えた建屋による海苔乾燥方法である。
【０００８】
請求項３の発明は、請求項１の目的を達成できる補助ヒータに部屋を設けた構成を採用する海苔乾燥方法を提案する。
【０００９】
請求項３は、請求項１に記載した補助ヒータに、空間を設け、空間に、建屋内の空気流通帯域の暖気、又は第２の外気吸込み口の外気とを供給する構成とした補助ヒータ及びタ゛クトを備えた建屋による海苔乾燥方法である。
【００１０】
請求項４の発明は、補助ヒータに、全量の一部の外気を導入する構成を採用し、当該補助ヒータの小型化、省資源化、燃料の効率化を図ることを意図する。
【００１１】
請求項４は、請求項１に記載した第１の外気吸込み口の外気（空気）の吸込み量に対して、第２の外気吸込み口の外気（空気）の吸込み量を、少なくして、補助ヒータの小型化を図る構成とした補助ヒータ及びタ゛クトを備えた建屋による海苔乾燥方法である。
【００１２】
請求項５の発明は、補助ヒータで生成した温風を、確実、かつスムース゛に加熱室に供給すること、又は加熱室において均一化された熱風を生成すること、等を意図する。
【００１３】
請求項５は、請求項１に記載したタ゛クトの多数個の吹出し口を、加熱室の吸込み口上方近傍に配した構成とした補助ヒータ及びタ゛クトを備えた建屋による海苔乾燥方法である。
【００１４】
請求項６の発明は、（イ）加熱室において均一化された熱風を生成できる海苔乾燥装置、又は均一化された熱風を乾燥室に供給して、乾燥室の温度及び／又は湿度の均一化、高品質の乾海苔を製造できる海苔乾燥装置を提供すること、等を意図する。（ロ）補助ヒータの小型化、省資源化、燃料の効率化が図れる海苔乾燥装置の提供を意図する。
【００１５】
請求項６は、第１の外気吸込み口及び／又は第２の外気吸込み口と内気排出口を備えた建屋に、補助ヒータ及びタ゛クト、加熱室、又は乾燥室を配した海苔乾燥装置において、
補助ヒータに設けたタ゛クトを、加熱室の吸込み口上方近傍に配備し、タ゛クトに設けた多数個の吹出し口から温度及び／又は湿度センサーを介して必要とする箇所に最適な量及び／又は必要な時に、　当該加熱室に温風を供給する構成とした補助ヒータ及びタ゛クトを備えた建屋による海苔乾燥装置である。
【００１６】
【発明の実施の形態】
以下、本発明の実施の形態を説明する・
建屋は、第１・第２の外気吸込み口と内気排出口を備えている。従って、外気は、概説すると、▲１▼の第１の外気吸込み口→加熱室と、▲２▼の第１の外気吸込み口及び／又は第２の外気吸込み口→補助ヒータ→加熱室とが考えられる。以下、この▲１▼、▲２▼のルートを説明する。その後は、加熱室→乾燥室のルートとなる。
【００１７】
▲１▼のルートは、第１の外気吸込み口より吸込まれた（導入された）外気は、建屋の空気流通帯域を経由して、加熱室に導入された後、当該加熱室に装備されている釜により昇温されて熱風に変換される。尚、この加熱室には、乾燥室から排出される湿り空気（空気流通帯域の暖気）の一部が、導入される（以下、同じ）。
【００１８】
▲２▼のルートは、第１の外気吸込み口及び／又は第２の外気吸込み口より導入された外気は、補助ヒータに到り、この補助ヒータの釜により昇温されて温風に変換される。この第１・第２の外気吸込み口から導入される外気の量を、個別及び／又は相互に調整して、補助ヒータのランニンク゛コストの低廉化、熱交換の効率化等を図ること、又は温風及び／又は熱風の迅速な生成、乾燥作業の迅速化等を図ること、等の状況も考えられる。また補助ヒータには、空気流通帯域の暖気を一部導入して、補助ヒータの効率的な稼働と、装置の小型化、暖気の有効活用とを図る。
【００１９】
そして、この温風は、タ゛クトを経由して加熱室の各吸込み口に、その最適な量及び／又は必要な時等を考慮して、個別及び／又は全体（以下、個別等とする）に供給する。この加熱室において、温湿度の均一化、又は温湿度の個別化（スホ゜ット式に、温湿度を変更することを云う）を図る。また加熱室には、建屋の空気流通帯域の暖気を導入して、加熱室の効率的な稼働と、装置の小型化、暖気の有効活用とを図る。
【００２０】
続いて、この加熱室で（場合により、加熱室で個別に）生成された熱風は、加熱室と乾燥室とを連通する熱風路を介して当該乾燥室全体に（場合により、加熱室で個別に）供給する。従って、乾燥室に最適な状態の熱風が供給されるので、生海苔の乾燥の略均一化と、乾海苔のヌレ、ワレ、艶ムラ、チチ゛ミ、テリ等の欠陥製品の発生をなくし得ること、又は品質の向上が期待できること、等の実益がある。尚、本発明のホ゜イントは、加熱室の上方（外気の導入箇所、乾燥室からの暖気の導入個所及びタ゛クトからの吹出し口）の空気の湿度を、数ヶ所に設けた湿度センサーを介して検知し、湿度の高い所に、タ゛クトから加熱室に適量の温風を供給し、この加熱室で熱風を生成し、この熱風を乾燥室に供給して温度及び／又は湿度（以下、温度等とする）の略均一化を図る。
【００２１】
尚、空気流通帯域の暖気の多くは、内気排出口を介して外部に排気し、建屋及び／又は乾燥室の温湿度調整と、又はこれらの温風、熱風の効率的な生成を図る。尚、図６では乾燥室の吸込み口近傍の温湿度を、従来例と、本装置を採用した例とを比較検討したが、設置後の均一化の状況が判明した。これにより、所望の成果があったことが理解できる。
【００２２】
また図示しないが、タ゛クトに、温風用のタ゛クトを採用し、この温風用のタ゛クトを加熱室の吸込み口（上方等）近傍に設置して、温度調整を、個別にすること、又は湿度調整と合わせて図ること、等も可能である。
【００２３】
【実施例】
以下、本発明の海苔乾燥装置と建屋に関して、好ましい一例を説明する。
【００２４】
１は建屋で、この建屋１にはシャッター（図示せず）を備えた第１の外気吸込み口２と内気排出口３（屋上扇３０を備えた排出口）を備える。またこの建屋１には、海苔抄き機４、乾燥室５と、この乾燥室５に熱風を供給する加熱室６、補助ヒータ７並びにタ゛クト８が配備されている。そして、この一例では、補助ヒータ７は補助ヒータ室７０に設けられている。この補助ヒータ室７０には、第２の外気吸込み口９と、空気流通帯域１００に連通する内気吸込み口１０が設けられている。また補助ヒータ７の上方に部屋７１を設けた簡易型の例もある。この例では、部屋７１にタ゛ンハ゜ー９ａを備えた第２の外気吸込み口９と、空気流通帯域１００に連通する風量調整用のタ゛ンハ゜ー１０ａを備えた内気吸込み口１０を設ける。図中７１０は部屋７１と補助ヒータ７とを連通する通路７１１に設けたファン、７１２は吹出し口、７１３は補助ヒータ７と部屋７１を連通する排気口、７１４は釜、７１５はハ゛ーナー等の熱源、７１６はタ゛ンハ゜ー、７１７は煙突を示しており、部屋７１空の外気等を通路７１１を介して補助ヒータ７内に誘導し、熱交換した後、吹出し口７１２より乾燥室５に送る。また排気口７１３はタ゛ンハ゜ー７１６を介して風量調整する。
【００２５】
また前記タ゛クト８にはタ゛ンハ゜ー等を備えた多数個の吹出し口８０、８０等（８０とする）を備えており、この吹出し口８０より補助ヒータ７で生成された温風を、例えば、直下に配備した加熱室６のファン６０に向かって直接、又は間接等の方法で供給する（吹出す）。この供給は、各吹出し口８０より個別及び／又は所定量、適量行われる。この供給操作は、手動及び／又は自動コントロールで行う。また各吹出し口８０は、内気吸込み口寸法の大小、又は開閉自在、等の如く、各種の態様が考えられる。
【００２６】
尚、加熱室６は上方に内気吸込み口（図示せず）を有しており、ファン６０と釜６１、又はハ゛ーナー等の熱源（図示せず）を有する。図中６２は熱風路を示す。また補助ヒータ７、加熱室６、又は乾燥室５、タ゛クト８等には、図示しない温度及び／又は湿度センサー等のセンサーを設け、温湿度調整、風量、送風時間等を調整することもあり得る。図中１０１は湿度センサー（又は温度センサー）を示す。尚、湿度センサー１０１の位置は、湿度等の確実な検知と、設置・視認・検知等の容易化等の上で、好ましい、一例であり、限定されない。
【００２７】
【発明の効果】
請求項１の発明は、第１の外気吸込み口と内気排出口を備えた建屋に、補助ヒータ及びタ゛クト、加熱室並びに乾燥室を配し、第１の外気吸込み口からの外気を、補助ヒータに供給して、補助ヒータで生成した温風を、加熱室の吸込み口近傍に配したタ゛クトの多数個の吹出し口を介して個別、又は必要とする量を当該加熱室に供給し、加熱室で熱風を生成し、この熱風を、乾燥室に供給して、生海苔の乾燥を図り、また乾燥室からの暖気を、加熱室に一部供給及び／又は内気排出口を介して外部に排気する海苔乾燥方法である。従って、（イ）　補助ヒータから温風を、加熱室に個別、又は均一に供給して、この加熱室において熱風を生成し、乾燥室に供給して、乾燥室の温度及び／又は湿度を略均一にして、効率的な熱風の生成を図ること、また高品質の乾海苔を製造できること、等の特徴がある。（ロ）また補助ヒータに外気の一部を導入して温風を生成し、建屋内の急激な温度低下、又は建屋内の気流のハ゛ランス崩れ、また乾燥室への温度ムラのある熱風供給回避等が図れること、また乾海苔のヌレ、ワレ、艶ムラ、チチ゛ミ等を回避して、高品質の乾海苔の生成が図れること、等の実益がある。（ハ）さらに補助ヒータに外気の一部を導入する構成として、装置の小型化、又は建屋への設置の確保と、設置の容易化、設置コストの低廉化等が図れる特徴がある。（ニ）補助ヒータに全量（換気量）の一部の外気を導入する構成を採用して、補助ヒータの小型化、省資源化、燃料の効率化が図れる実益がある。
【００２８】
請求項２の発明は、補助ヒータを、建屋とは区画された補助ヒータ室に設け、補助ヒータ室に、建屋内の空気流通帯域の暖気、又は第２の外気吸込み口の外気とを供給する構成とした補助ヒータ及びタ゛クトを備えた建屋による海苔乾燥方法である。従って、請求項１の目的を達成できる構造の補助ヒータ室を提案できる。
【００２９】
請求項３の発明は、補助ヒータに、空間を設け、空間に、建屋内の空気流通帯域の暖気、又は第２の外気吸込み口の外気とを供給する構成とした補助ヒータ及びタ゛クトを備えた建屋による海苔乾燥方法である。従って、請求項１の目的を達成できる構造の補助ヒータの部屋を使用した海苔乾燥方法を提案できる。
【００３０】
請求項４の発明は、第１の外気吸込み口の外気の吸込み量に対して、第２の外気吸込み口の外気（空気）の吸込み量を、少なくして、補助ヒータの小型化を図る構成とした補助ヒータ及びタ゛クトを備えた建屋による海苔乾燥方法である。従って、補助ヒータに、全量の一部の外気を導入する構成を採用し、当該補助ヒータの小型化、省資源化、燃料の効率化が図れる。
【００３１】
請求項５の発明は、請求項１に記載したタ゛クトの多数個の吹出し口を、加熱室の吸込み口上方近傍に配した構成とした補助ヒータ及びタ゛クトを備えた建屋による海苔乾燥方法である。従って、補助ヒータで生成した温風を、確実、かつスムース゛に加熱室に供給できること、又は加熱室において均一化された熱風を生成できること、等の実益がある。
【００３２】
請求項６の発明は、第１の外気吸込み口及び／又は第２の外気吸込み口と内気排出口を備えた建屋に、補助ヒータ及びタ゛クト、加熱室、又は乾燥室を配した海苔乾燥装置において、補助ヒータに設けたタ゛クトを、加熱室の吸込み口上方近傍に配備し、　タ゛クトに設けた多数個の吹出し口から温度及び／又は湿度センサーを介して必要とする箇所に最適な量及び／又は必要な時に、当該加熱室に温風を供給する構成とした海苔乾燥装置である。従って、（イ）加熱室において個別、又は均一化された熱風を生成できる海苔乾燥装置、又は個別、均一化された熱風を乾燥室に供給して、当該乾燥室の温度及び／又は湿度の均一化、高品質の乾海苔を製造できる海苔乾燥装置を提供すること、等を意図する。（ロ）補助ヒータの小型化、省資源化、燃料の効率化が図れる海苔乾燥装置を提供できる。
【図面の簡単な説明】
【図１】本発明の一例を示す正面模式図
【図２】図１の例の側面模式図
【図３】本発明の他の一例を示す正面模式図
【図４】図３の例の側面模式図
【図５】図１、図３に使用する補助ヒータの一例を示す拡大断面模式図
【図６】乾燥室の吸込み口近傍の温湿度を、本発明と従来例とを比較した図
【図７】従来の一例を示す正面模式図
【図８】従来の他の一例を示す正面模式図
【符号の説明】
１　　　　建屋
１００　　　空気流通帯域
１０１　　　湿度センサー
２　　　　　　　第１の外気吸込み口
３　　　　内気排出口
３０　　　　屋上扇
４　　　　　　　海苔抄き機
５　　　　　　　乾燥室
６　　　　加熱室
６０　　　　ファン
６１　　　　釜
６２　　　　熱風路
７　　　　　　　補助ヒータ
７０　　　　補助ヒータ室
７１　　　　部屋
７１０　　　ファン
７１１　　　通路
７１２　　　吹出し口
７１３　　　排気口
７１４　　　釜
７１５　　　熱源
７１６　　　タ゛ンハ゜ー
７１７　　　煙突
８　　　　タ゛クト
８０　　　　吹出し口
９　　　　第２の外気吸込み口
９ａ　　　　タ゛ンハ゜ー
１０　　　　内気吸込み口
１０ａ　　　　タ゛ンハ゜ー
【図１】
2004016082.tif 000003
【図２】
2004016082.tif 000004
【図３】
2004016082.tif 000005
【図４】
2004016082.tif 000006
【図５】
2004016082.tif 000007
【図６】
2004016082.tif 000008
【図７】
2004016082.tif 000009
【図８】
2004016082.tif 000010